(57)【特許請求の範囲】
【請求項１】
紙幣処理装置本体内に上下複数段の紙幣収納部が配設された紙幣処理装置において、紙幣収納部に収納される紙幣の幅よりも狭い紙幣支持面を有して紙幣収納部内に固定的に配置された紙幣支持テーブルと、この紙幣支持テーブルの両側方に位置して上記紙幣支持面よりも高い上昇位置と上記支持面よりも低い下降位置とにわたり昇降可能な紙幣分離部材と、上記紙幣支持テーブル上に位置して上記紙幣分離部材の上昇時にこの紙幣分離部材により持ち上げられる押えプレートと、紙幣収納部の両外側部に昇降可能に取りつけられて上記紙幣分離部材に連結された昇降用可動部材とが各紙幣収納部にそれぞれ装備され、上記各紙幣収納部が上下に積み重ねられた状態で各紙幣収納部の昇降用可動部材が互いに連動して昇降し得るように構成されるとともに、これら昇降用可動部材のうちの１つが昇降駆動機構に連結されていることを特徴とする紙幣処理装置。
【請求項２】
上下紙幣収納部の昇降用可動部材の衝合箇所において一方の昇降用可動部材に磁石が設けられ、他方の昇降用可動部材に上記磁石に吸着される磁石もしくは磁性体が設けられていることを特徴とする請求項１記載の紙幣処理装置。
【請求項３】
上記昇降用可動部材は縦長板状に形成され、紙幣収納部の側面部に設けられたガイドローラに昇降可能に保持されていることを特徴とする請求項１又は２記載の紙幣処理装置。
【発明の詳細な説明】
【０００１】
【発明の属する技術分野】
本発明は、複数段の紙幣収納部を備えた紙幣処理装置に関し、特に各紙幣収納部に紙幣を集積させる機構に関するものである。
【０００２】
【従来の技術】
従来、自動販売機、遊技場での遊技媒体貸出機、券売機、両替機等の各種用途に用いられる紙幣処理装置として、紙幣処理装置本体の内部に、紙幣を集積状態で収納する紙幣収納部を備え、紙幣挿入部から挿入された紙幣を紙幣収納部に収納し、あるいはまた紙幣収納部から紙幣を繰出して紙幣払出部から払い出し得るようにした紙幣処理装置は種々知られている。
【０００３】
この種の紙幣処理装置において紙幣収納部に紙幣を集積させるための構造としては、例えば特開平７−９７１４６号公報に示されるような装置が知られている。この装置は、装置本体内の下部に固定的に設けられた断面凸形の桁上げ部材と、昇降可能な枠体と、この枠体を昇降させるためのモータと、上記桁上げ部材の上方に位置するプレート状の錘とを備えている。上記枠体は、上記桁上げ部材の頂部を挟んでその左右両側に位置する断面コ字形の一対のガイド部材と、この各ガイド部材の外壁面から上下方向に延びる動力プレートと、左右の動力プレートの上端部を連結する連結部とを一体に成形してなるものであり、その内部の桁上げ部材の上方に集積庫を形成している。
【０００４】
そして、上記ガイド部材が桁上げ部材の上面に対応する所定高さ位置にある状態で紙幣をガイド部材により案内しつつ桁上げ部材上に導入した後、ガイド部材が紙幣より下方位置となるまでいったん下降してから元の位置まで上昇するようにモータで枠体が昇降駆動されることにより、ガイド部材の上端部の集積受け部とプレート状の錘との間に紙幣が挟みこまれ、紙幣が順次導入されるに応じて上記枠体の昇降が繰り返されることで上記集積受け部とプレート状の錘との間に紙幣が集積されるようになっている。
【０００５】
この公報に記載の装置は、複数金種の紙幣を金種別に収納する多金種対応型とする場合には、装置本体内に上下所定間隔おきに複数の桁上げ部材が配設されるとともに、昇降可能な枠体には、桁上げ部材に対応した上下複数段のガイド部材と、これらのガイド部材を連結するように上下方向に長く形成された左右一対の動力プレートと、この左右一対の動力プレートの上端を連結する連結部とを一体に連設した構造とされる。
【０００６】
【発明が解決しようとする課題】
上記公報に示された装置では、上記多金種対応型とする場合に、複数段分のガイド部材とこれらをつなぐ左右一対の動力プレート及びその上端をつなぐ連結部を一体に成形した紙幣集積用部材が非常に大型になり、その製作及び紙幣処理装置本体への組み付けが非常に面倒になる。
【０００７】
しかも、紙幣収納部の段数が異なる各種紙幣処理装置に対して汎用性、互換性に乏しい。つまり、２金種用、３金種用、４金種用等の用途によって紙幣収納部が２段、３段、４段等の種々の段数にされた紙幣処理装置が製作されるが、従来ではこれら紙幣収納部の段数が異なる各種紙幣処理装置に対して上記紙幣集積用部材を共通化することができず、それぞれ別個に上記紙幣集積用部材を製作する必要があった。
【０００８】
本発明はこのような点に鑑み、紙幣集積用部材の製作及び組み付けを容易にするとともに、紙幣収納部の段数が異なる各種紙幣処理装置に対して紙幣集積用部材を共通化し、汎用性、互換性を高めることができる装置を提供することを目的とする。
【０００９】
【課題を解決するための手段】
本発明の紙幣処理装置は、紙幣処理装置本体内に上下複数段の紙幣収納部が配設された紙幣処理装置において、紙幣収納部に収納される紙幣の幅よりも狭い紙幣支持面を有して紙幣収納部内に固定的に配置された紙幣支持テーブルと、この紙幣支持テーブルの両側方に位置して上記紙幣支持面よりも高い上昇位置と上記支持面よりも低い下降位置とにわたり昇降可能な紙幣分離部材と、上記紙幣支持テーブル上に位置して上記紙幣分離部材の上昇時にこの紙幣分離部材により持ち上げられる押えプレートと、紙幣収納部の両外側部に昇降可能に取りつけられて上記紙幣分離部材に連結された昇降用可動部材とが各紙幣収納部にそれぞれ装備され、上記各紙幣収納部が上下に積み重ねられた状態で各紙幣収納部の昇降用可動部材が互いに連動して昇降し得るように構成されるとともに、これら昇降用可動部材のうちの１つが昇降駆動機構に連結されているものである。
【００１０】
この構成によると、紙幣分離部材及び押えプレートが上昇している状態で紙幣が紙幣支持テーブル上に導かれてから、紙幣分離部材がいったん紙幣より下方の位置まで下降した後に再び上昇することにより、紙幣分離部材と押えプレートとの間に紙幣が挟み込まれ、紙幣収納部へ紙幣が導入される毎にこのような動作が繰り返されることで紙幣が集積される。
【００１１】
そして、１つの駆動機構により各紙幣収納部に装備された昇降用可動部材及び紙幣分離部材が作動されて、各紙幣収納部の紙幣の集積が可能となる。しかも、紙幣支持テーブル、紙幣分離部材、押えプレート及び昇降用可動部材からなる紙幣集積機構が各紙幣収納部毎に個別に設けられ、各紙幣収納部が上下に積み重ねられた状態で各紙幣収納部の昇降用可動部材が互いに連動するようになっているので、紙幣収納部の段数が異なる各種紙幣処理装置に対して上記紙幣集積機構を共通化することが可能となる。
【００１２】
この発明において、上下紙幣収納部の昇降用可動部材衝合箇所において一方の昇降用可動部材に磁石が設けられ、他方の昇降用可動部材に上記磁石に吸着される磁石もしくは磁性体が設けられていることが好ましい。このようにすると、リフターと各昇降用可動部材との連動が確実に行われる。
【００１３】
また、上記昇降用可動部材は縦長板状に形成され、紙幣収納部の側面部に設けられたガイドローラに昇降可能に保持されていることが好ましい。このようにすれば、コンパクトな構造によりながら各昇降用可動部材がスムーズに昇降し得ることとなる。
【００１４】
【発明の実施の形態】
以下、図面に基づいて本発明の実施形態を説明する。
【００１５】
図１及び図２は本発明の１実施形態による紙幣処理装置の全体構造を示している。これらの図において、１は紙幣処理装置のケーシングであり、前面側が開口した箱状のケーシング本体１１と、このケーシング本体１１の前面を塞ぐ扉１２とを備え、後記各ユニットを収容可能とする所定の大きさの箱状に形成されている。ケーシング１前面の扉１２の上部には、紙幣挿入用の開口１４及び払出用の開口１５が配設されている。
【００１６】
ケーシング１の内部には、上下複数段の紙幣収納部が設けられるとともに、その各紙幣収納部にそれぞれ紙幣を集積状態で収納させる紙幣集積機構が設けられている。また、紙幣挿入部側から紙幣収納部側への紙幣搬送及び紙幣収納部側から紙幣払出部側への紙幣搬送を行う搬送機構が設けられ、搬送機構と紙幣収納部との間には紙幣の取込み繰出し機構が設けられている。さらに、識別装置を有する紙幣導入機構、紙幣導出機構、リジェクト室、各種駆動手段等がケーシング１の内部に配備されている。
【００１７】
当実施形態では、紙幣収納部の増設、減少等の変更を容易にするため、内部の機構や部材がモジュール化されている。
【００１８】
すなわち、上記ケーシング１の内部には、最上部に位置する入出金用ユニット２と、最下部に位置するベースユニット３と、これらのユニット２、３の間に位置する一乃至複数段（図示の例では３段）の中間部ユニット４Ａ〜４Ｃとが配備され、上記ベースユニット３及び各中間部ユニット４Ａ〜４Ｃに紙幣収納部３１，４１が設けられている。さらに必要に応じ、いずれか１つもしくは複数の中間部ユニットの上方に紙幣収納スペース増量のための補助ユニット５が配置され、図示の例では中間部ユニット４Ａの上に補助ユニット５が配置されている。
【００１９】
上記入出金用、ベース及び中間部の各ユニット２，３，４Ａ〜４Ｃは、相互に分離可能で、かつ、それぞれケーシング１に対して着脱可能となっている。そして、各ユニット２，３，４Ａ〜４Ｃの一側部に設けられた被支持部１７が、ケーシング１の一側部に設けられたスライドガイド１６に、前後方向に摺動可能に結合されることにより、ケーシング１に対して各ユニット２，３，４Ａ〜４Ｃが個別に前方へ引出し可能な状態で片持ち状態に支持されている。
【００２０】
上記各ユニット２，３，４Ａ〜４Ｃの具体的構造を次に説明する。
【００２１】
入出金用ユニット２は、挿入口２０ａ及び払出口２０ｂを備えたフレーム２０内に、上記挿入口２０ａから紙幣を導入する紙幣導入機構２１と、上記払出口２０ｂへ紙幣を導出する紙幣導出機構２３と、搬送機構２９とを配備しており、挿入口２０ａ及び払出口２０ｂがケーシング１の開口１４，１５から突出する状態でケーシング１内の上部に収容されている。
【００２２】
上記紙幣導入機構２１は、挿入口２０ａの近傍に紙幣の真贋及び金種を識別する識別装置２２を有するとともに、挿入口２０ａから識別装置２２を介して取込んだ紙幣をユニット２の後方部下方向へ向かわせるように案内する紙幣導入路２１０を有し、さらに紙幣導入路２１０の上流側及び下流側に配置された送りローラ２１１，２１２，紙幣導入路２１０の途中に配設されたガイドローラ２１３等を備えている。ローラ２１１，２１２，２１３は、モータ２１４によりベルト等の伝動機構２１５を介して駆動される。
【００２３】
紙幣導出機構２３は、出金指令に応じて紙幣を払出口２０ｂに払出す機構と、不正紙幣等をリジェクトする機構とを含んでおり、払出口２０ｂに対応する高さ位置に配置した払出しリジェクト用送りベルト装置２４と、このベルト装置２４の上方のスペースで構成される一時貯留部２５と、この一時貯留部２５に紙幣を導く案内装置２６と、紙幣をベルト装置２４上の一時貯留部２５に堆積させるためのプッシャー装置２７と、上記ベルト装置２４の下方のスペースに形成されたリジェクト室２８とを備えている。
【００２４】
そして、払出しリジェクトモータ２４７により図外の伝動手段を介して上記ベルト装置２４が正逆転可能に駆動され、正転方向に駆動されたときはベルト装置２４の上の一時保留紙幣が前方の払出口２０ｂへ向けて送られ、逆転方向に駆動されたときは一時保留紙幣が後方の補助ベルト２４６に沿ってリジェクト室２８へ送られるようになっている。なお、リジェクト室２８の前面は錠付の扉２８０によって開放可能とされている。
【００２５】
搬送機構２９は、紙幣導入路２１０の下流端に対応する位置から入出金用ユニット２の下端までにわたる範囲で紙幣の搬送を行うもので、上部の一対の搬送ローラ２９１と、下部の一対の搬送ローラ２９２と、これらの間に配置されたガイド板等で構成されている。そして、一対のローラ同士がギヤ（図示せず）を介して互いに連動するとともに、上部及び下部の各一方の搬送ローラ２９１，２９２のローラ軸に設けられプーリ（図示せず）の間に伝動用ベルト（図示せず）が巻き掛けられることにより、上下のローラ２９１，２９２が互いに連動するようになっている。
【００２６】
さらに、搬送機構２９の上端部には、紙幣移動経路を切り替えるための切替手段２９５が設けられている。この切替手段２９５は、ソレノイド式のアクチュエータにより駆動されるフラッパを備え、入金時に搬送機構２９に対して紙幣導入路２１０を開く状態と、出金時やリジェクト時に紙幣導入路２１０を遮蔽して、搬送機構２９で逆送される紙幣を紙幣導出機構２３側に導く状態とに切り替え可能となっている。
【００２７】
一方、ベースユニット３と各中間部ユニット４Ａ〜４Ｃには、図３にも示すように、紙幣収納部３１，４１と、この紙幣収納部３１，４１の後方において上下方向に紙幣の搬送を行う搬送機構３２，４２と、搬送機構３２，４２と紙幣収納部３１，４１との間の取込み繰出し機構３４，４４と、紙幣収納部３１，４１において紙幣の集積を行う紙幣集積機構３５，４５とが設けられている。さらにベースユニット３には、搬送機構３２，４２の駆動源である搬送モータ３３と、紙幣集積機構３５，４５を駆動する昇降駆動機構３６とが設けられている。なお、補助ユニット５には、その下方に位置するユニット４Ａの紙幣収納部４１に通じる収納スペース増量部５１が形成されるとともに、その後方に搬送機構５２が設けられている。
【００２８】
上記ベースユニット３の紙幣収納部３１と上記各中間部ユニット４Ａ〜４Ｃの紙幣収納部４１とは同じ構造であって、それぞれ、両側板、底板及び前面側の扉３１０，４１０等で構成され、内部に紙幣を集積状態で収納し得るスペースを有するように形成されている。上記扉３１０，４１０には錠３１１，４１１が設けられている。
【００２９】
ベースユニット３の搬送機構３２は、紙幣収納部３１の後方上部に配置された一対の搬送ローラ３２０を備え、この一対の搬送ローラ３２０がギヤを介して互いに連動し、かつ、ベルト伝動手段を介して搬送モータ３３に連結されている。また、各中間部ユニット４Ａ〜４Ｃにそれぞれ設けられている搬送機構４２は、紙幣収納部４１の後方に配設された上部の一対の搬送ローラ４２０と、下部の一対の搬送ローラ４２１とを備え、一対のローラ同士がギヤを介して互いに連動するとともに、上下のローラがベルト伝動機構を介して連動するようになっている。さらに、各ユニットの搬送ローラ３２０，４２０は、中間伝動ギヤ３２５，４２５を介して相互に連動するようになっている。
【００３０】
ベースユニット３の取込み繰出し機構３４と各中間部ユニット４Ａ〜４Ｃの取込み繰出し機構４４とは同じ構造であって、フィードローラ３４０，４４０、送りベルト３４２，４４２、ストップローラ３４３，４４３、繰出しモータ３４５，４４５等を備え、繰出しモータ３４５，４４５の所定方向の回転又は逆方向の回転により、紙幣収納部への紙幣の取込み、及び紙幣収納部からの紙幣の繰出しを行うようになっている。
【００３１】
各中間部ユニット４Ａ〜４Ｃにおいて、搬送機構４２と取込み繰出し機構４４との間には、入金時に搬送手段４２により搬送させる紙幣を取込み繰出し機構４４に導く状態と、通過させる状態とに切替可能な切替手段４４６が設けられている。
【００３２】
ベースユニット３の紙幣集積機構３５と各中間部ユニット４Ａ〜４Ｃの紙幣集積機構４５とはほぼ同じ構造であって、紙幣収納部３１，４１内に配置された紙幣支持テーブル３１２，４１２と、この紙幣支持テーブル３１２，４１２の両側方部に位置する左右一対の紙幣分離部材３５０，４５０と、この紙幣分離部材３５０，４５０を昇降可能に保持する昇降用可動部材３５２，４５２と、集積紙幣を押圧する押えプレート３５３，４５３とを備えている。これら紙幣支持テーブル３１２，４１２、紙幣分離部材３５０，４５０、昇降用可動部材３５２，４５２及び押えプレート３５３，４５３が、各紙幣収納部３１，４１にそれぞれ装備されている。
【００３３】
この紙幣集積機構３５，４５をさらに具体的に説明すると、図４にも示すように、上記紙幣支持テーブル３１２，４１２は紙幣収納部３１，４１に収納される紙幣Ｐの幅よりも狭い紙幣支持面を有して、紙幣収納部３１，４１内に固定的に設置されており、この紙幣支持テーブル３１２，４１２の両側方部に、細幅で前後方向に延びる紙幣分離部材３５０，４５０が配置されるとともに、両紙幣分離部材間においてテーブル３１２，４１２の上方に押えプレート３５３，４５３が配置されている。上記紙幣分離部材３５０，４５０は、内側辺部に断面Ｌ字形の突片３５１，４５１を有し、この突片３５１，４５１がテーブル３１２，４１２の紙幣支持面（テーブル上面）より上方に位置する上昇位置と紙幣支持面より下方に位置する下降位置とにわたって昇降し得るように、紙幣収納部３１，４１の側板に昇降可能に取付けられた昇降用可動部材３５２，４５２に保持されている。
【００３４】
図５及び図６は上記昇降用可動部材３５２，４５２とこれを昇降させる昇降駆動機構３６を示している。これらの図に示すように上記昇降用可動部材３５２，４５２は縦長の板状に形成され、紙幣収納部３１，４１の側面部に設けられた一対のガイドローラ３５７，４５７に昇降可能に保持されている。そして、各ベース及び中間部の各ユニット３，４Ａ〜４Ｃの紙幣収納部３１，４１が積み重ねられた状態で、各紙幣収納部３１，４１の昇降用可動部材３５２，４５２が衝合されることにより、ベースユニット３の昇降用可動部材３５２が駆動機構３６により駆動されて昇降したときに他の各昇降用可動部材４５２がこれに連動するようになっている。
【００３５】
当実施形態では各昇降用可動部材３５２，４５２の連動を確実にするために、上下紙幣収納部の昇降用可動部材衝合箇所において一方の昇降用可動部材に磁石が設けられるとともに、他方の昇降用可動部材に上記磁石に吸着される磁石もしくは磁性体が設けられており、例えば図示のように、中間部ユニット４Ａ〜４Ｃの昇降用可動部材４５２の各下端に磁石４５６が取り付けられるとともに、ベースユニット３の昇降用可動部材３５２及び中間部ユニット４Ａ〜４Ｃの昇降用可動部材４５２の各上端に鉄板等の強磁性体からなる板片３５５，４５５が取付けられ、磁石４５６と板片４５５との吸着により各昇降用可動部材が相互に結合されている。
【００３６】
また、紙幣集積機構３５，４５を駆動する駆動機構３６は、ベースユニット３に設けられ、リフターモータ３６０によりギヤ３６１を介して回転駆動される偏心カム３６２と、該カム３６２の偏心軸に係合してカム３６２の回転に伴い上下動する略三角形状のリフター３６３とを備え、このリフター３６３に紙幣集積装置３５の昇降用可動部材３５２が連結されている。
【００３７】
以上のような構成の紙幣処理装置の動作を、次に説明する。
【００３８】
入金時には、紙幣挿入口２０ａから紙幣が挿入されたときこれを検出するセンサ（図示せず）からの信号に応じて制御基板により紙幣導入機構、搬送機構等が制御され、所定の入金動作が行われる。すなわち、先ず紙幣導入機構２１のモータ２１４の駆動により紙幣が識別装置２２を通って紙幣導入路２１０に取込まれ、その間に紙幣の真贋及び金種が識別される。そして、紙幣が真札であれば、搬送機構２９，４２，３２により下方へ送られるとともに、識別された紙幣の金種に応じて取込むべき紙幣収納部３１または４１が決定され、その紙幣収納部が存在するユニットの取込み繰出し機構３４または４４と紙幣集積機構３５または４５が作動されて、当該紙幣収納部に紙幣が収納される。
【００３９】
入金時に紙幣が真札でないと判断された場合には、紙幣がいったん搬送経路の途中まで送られてから、上記切替手段２９５が切替えられるとともに搬送モータ３３が逆転駆動されることにより紙幣がスイッチバック式に紙幣導出機構２３側に導かれ、プッシャー装置２７の作動により紙幣一時貯留部２５に送られ、さらに払出しリジェクトモータ２７の作動により払出口２０ｂに送られる。
【００４０】
また、出金時には、払い出すべき紙幣の金種に応じたユニットの紙幣収納部から紙幣が繰出され、この紙幣は切替手段２９５を介して紙幣導出機構２３側に導かれ、一時貯留部２５を経て払出口２００に払い出される。また、一時貯留部２５の紙幣がリジェクトされるべき紙幣である場合は、ベルト装置２４が逆転方向に作動することにより、紙幣がリジェクト室２８に送られる。
【００４１】
ところで、上記入金時において紙幣収納部３１，４１に紙幣が取り込まれるとき、紙幣集積機構３５，４５が次のように作動して紙幣の集積を行う。
【００４２】
紙幣集積前において紙幣分離部材３５０，４５０が上昇位置にあるときは図４（ａ）のように両紙幣分離部材３５０，４５０の突片３５１，４５１上に押えプレート３５３，４５３が乗った状態となり、この状態でテーブル３１２，４１２上に紙幣Ｐが取込まれた後、紙幣分離部材３５０，４５０が下降すると、図４（ｂ）のように紙幣分離部材３５０，４５０の突片３５１，４５１が紙幣Ｐの両側辺部を折曲げつつテーブル３１２，４１２の側方を通過するとともに、押えプレート３５３，４５３がテーブル３１２，４１２上の紙幣Ｐに乗り、さらに図４（ｃ）のように紙幣分離部材３５０，４５０が下降位置に達すると紙幣Ｐの側辺が突片３５１，４５１から離脱して非折曲状態に復帰する。その後に再び紙幣分離部材３５０，４５０が上昇すると、図４（ｄ）のように、紙幣Ｐ及びこれを押さえる押えプレート３５３，４５３が紙幣分離部材３５０，４５０の突片３５１，４５１上に保持されるとともに、紙幣分離部材３５０，４５０の下方でテーブル３１２，４１２上に紙幣Ｐが取込まれ得る状態となる。これら図４（ａ）〜（ｄ）の動作の繰り返しにより、紙幣Ｐが集積される。
【００４３】
このような集積機構の動作は、図５及び図６に示すように駆動機構３６で昇降用可動部材３５２，４５２が昇降されることにより行われる。すなわち、図５は図４（ａ）及び同（ｄ）の状態（紙幣分離部材３５０，４５０が上昇している状態）に対応するもので、偏心カム３６２のリフター支持部分が上向き状態に保たれることによりリフター３６３及び昇降用可動部材３５２，４５２が上昇位置となっている。この状態からリフターモータ３６０の駆動により偏心カム３６２が半回転すると、図６のようにリフター支持部分が下向き状態となってリフター３６３及び昇降用可動部材３５２，４５２が下降し、それによって集積機構が図４（ｃ）の状態（紙幣分離部材３５０，３６０が下降した状態）となる。その後にさらにリフターモータ３６０の駆動されると偏心カム３６２によりリフター３６３及び昇降用可動部材３５２，４５２が押し上げられ、図５の状態に復帰する。
【００４４】
このようにして１つの駆動機構３６により各紙幣収納部３１，４１の紙幣集積機構３５，４５が作動される。しかも各紙幣集積機構３５，４５が紙幣収納部３１，４１毎に個別に設けられ、各紙幣収納部３１，４１を積み重ねた状態で連動するようになっているので、処理対象金種数が異なる各種紙幣処理装置に対して紙幣収納部及び紙幣集積機構等を共通化することができ、製造にあたって要求される処理対象金種数に応じた紙幣収納部の段数の設定、変更が容易になる。
【００４５】
すなわち紙幣処理装置の内部構造部分が上段の入出金用ユニット２と下段のベースユニット３とその間の中間部ユニット４Ａ〜４Ｃとに分けられてユニット化されているため、中間部ユニットの個数を変更するとともにケーシングのサイズを変更しさえすれば、各種金種数に対応した紙幣処理装置が得られる。例えば、３段の中間部ユニット４Ａ〜４Ｃを有する図示の処理装置は４金種対応のものであるが、中間部ユニットを２段に減らせば３金種対応、中間部ユニットを１段に減らせば２金種対応となる。また、図示のものより中間部ユニットをさらに増設すれば、５金種以上にも対応可能となる。
【００４６】
そして、昇降用可動部材３５２，４５２を含む紙幣集積機構３５，４５が紙幣収納部３１，４１毎に個別に設けられているため、上記のように中間部ユニットの増減により対応金種数を変更させる場合にも紙幣集積機構を設計変更する必要がない。
【００４７】
なお、紙幣処理装置の各部の具体的構造は上記実施形態に限定されず、種々変更可能であり、その数例を以下に説明する。
▲１▼  上記実施形態では各ユニット２，３，４Ａ〜４Ｃを個別に引出し可能とし、それぞれに扉２８０，３１０，４１０を設けているが、図７及び図８のように構成してもよい。すなわち、これらの図に示す実施形態では、入出金用ユニット２、各中間部ユニット４Ａ〜４Ｃ及び補助ユニット５、並びにベースユニット３が相互に連結され、これらのユニット及びそれに付属する部材等で構成される内部構造体の全体がケーシング１に対して引出し可能とされるとともに、内部構造体の前面側に、入出金用ユニット２の下部と他の各ユニットとにわたる範囲の全体を蔽う扉６０が設けられている。この扉６０は、一側部がヒンジを介してユニットのフレームに枢着されている。６１はこの扉６０の錠である。
【００４８】
上記ケーシング１の底部には、上記内部構造体を出入方向にスライド自在に支持するスライドガイド機構６２が設けられるとともに、上記内部構造体をケーシング１内に収容した状態でこれをロックするロック機構（図示せず）が設けられている。
【００４９】
この実施形態によると、メンテナンスや修理等を行う場合は、ケーシング１の扉を開くとともに、上記ロック機構のロックを解除した後に上記内部構造体をケーシング１の前方に引出すことにより、容易にメンテナンス等の作業を行うことができる。
【００５０】
また、リジェクト室２８や各紙幣収納部３１，４１から紙幣を取り出す場合には、内部構造体をケーシング１内に収容した状態のままでも、ケーシング１の扉１２及び内部構造体の前面の扉６０を順次開くことにより、リジェクト室２８や各紙幣収納部３１，４１が前方に開口し、紙幣の取出が可能となる。
▲２▼  紙幣収納部３１，４１から紙幣を取り出す場合、紙幣集積機構３５，４５の押えプレート３５３，４５３が下降していると邪魔になるので、扉６０が開かれたときに自動的に押えプレート３５３，４５３を所定上昇位置まで引き上げる押えプレート引き上げ機構を設けておくことが望ましい。図９及び図１０は押えプレート引き上げ機構６００の一例を示し、この押えプレート引き上げ機構６００は、上記扉６０が閉じられているときは上記押えプレート３５３（４５３）が紙幣を押圧する位置に下降することを許容し、上記扉６０が開かれたときにこれに連動して上記押えプレート３５３（４５３）を所定上昇位置まで引き上げる可動部分を有し、具体的にはこの可動部分として紙幣収納部内の両側部に配置された上下方向に伸縮可能なリンク機構６１０を備えるとともに、扉６０とリンク機構６１０とを連係させる連係機構６２０を備えている。
【００５１】
上記リンク機構６１０は、Ｘ状に交差して中間部で互い回転可能に連結された一対のリンク６１１，６１２を有し、両リンク６１１，６１２が紙幣収納部３１（４１）の上端部の枠板３１５（４１５）と押えプレート３５３（４５３）との間に位置し、両リンク６１１，６１２の各一端部（扉から遠い後方側の端部）が押えプレート３５３（４５３）と枠板３１５（４１５）とにピン６１３，６１４を介して回転可能に連結される一方、両リンク６１１，６１２の各他端部（扉に近い前方側の端部）が、枠板３１５（４１５）と押えプレート３５３（４５３）とにそれぞれ設けられた前後方向の長穴６１５，６１６にバー６１７，６１８を介して回転可能に、かつ長穴６１５，６１６の範囲で移動可能に連結されている。
【００５２】
また、連係機構６２０は、扉６０の回転軸に設けられたギヤ６２１と、これに噛合する中間ギヤ６２２と、これに噛合するギヤ６２３と、このギヤ６２３と同軸に設けられて先端に下向きの突出部６２５を有するレバー６２４とを備えている。上記レバー６２４の突出部６２５は、上記枠板３１５（４１５）に設けられた円弧状の切り抜き部６２６を通って下方に突出し、バー６１７の後側に臨むように配置されている。そして、扉６０が開かれたときにレバー６２４が前方に回動するように、扉６０の回転軸とレバー６２４とがギヤ６２１，６２２，６２３を介して連動されている。
【００５３】
上記押えプレート３５３（４５３）は、図外のスプリング等の付勢手段により下方に付勢されている。
【００５４】
上記リンク機構６１０及び連係機構６２０を含む押えプレート引き上げ機構６００は、ベースユニット３及び各中間部ユニット４Ａ〜４Ｃに対してそれぞれ設けられ、扉６０の上下方向全長に延びる共通の回転軸に各押えプレート引き上げ機構６００のギヤ６２１が取り付けられている。また、補助ユニット５が連結されている中間部ユニット４Ａは他の中間部ユニット４Ｂ，４Ｃ及びベースユニット３と比べ、扉開放時の押えプレート４５３の上昇量が大きくなるように、レバー６２４の突出部６２５とバー６１７との位置関係などが中間部ユニット４Ａと他のユニットとで変えられて、リンク機構６１０の昇降ストロークが調整されている。
【００５５】
このように押えプレート引き上げ機構６００が設けられていれば、扉６０が開かれたとき、ベースユニット３及び各中間部ユニット４Ａ〜４Ｃの全てにおいて押えプレート３５３，４５３が上方に引き上げられ、任意の紙幣収納部から紙幣を容易に取り出すことができる。
【００５６】
なお、ベースユニット３及び中間部ユニット４Ａ〜４Ｃの各紙幣収納部３１，４１に対して個別に扉３１０，４１０が設けられている先の実施形態においても、これらの紙幣収納部にそれぞれ押えプレート引き上げ機構６００を設けておくようにしてもよい。この場合、各ユニット毎に個別に扉３１０の開放に応じて押えプレート引き上げ機構６００が作動することとなる。
▲３▼  図１〜図３に示す紙幣処理装置は各紙幣収納部への入金と各紙幣収納部からの出金が可能な構造となっているが、本発明は、上下複数段の紙幣処理装置に対して入金のみ可能な入金専用の紙幣処理装置や、出金は一部の紙幣処理装置のみから可能としたもの等にも適用可能である。
【００５７】
【発明の効果】
以上のように本発明の紙幣処理装置は、紙幣支持テーブルと、その両側方に位置する昇降可能な紙幣分離部材と、押えプレートと、上記紙幣分離部材に連結された昇降用可動部材とが各紙幣収納部にそれぞれ装備され、各紙幣収納部が上下に積み重ねられた状態で各紙幣収納部の昇降用可動部材が互いに連動するとともに、これら昇降用可動部材のうちの１つが昇降駆動機構に連結されているため、１つの駆動機構により各紙幣収納部に装備された昇降用可動部材及び紙幣分離部材が作動されて、各紙幣収納部の紙幣の集積が可能となる。しかも、紙幣支持テーブル、紙幣分離部材、押えプレート及び昇降用可動部材からなる紙幣集積機構が各紙幣収納部毎に個別に設けられ、紙幣収納部の段数が異なる各種紙幣処理装置に対して上記紙幣集積機構を共通化することが可能となり、汎用性及び互換性を高めることができるものである。
【図面の簡単な説明】
【図１】本発明の一実施形態による紙幣処理装置の概略縦断側面図である。
【図２】上記紙幣処理装置の概略一部断面正面図である。
【図３】上記紙幣処理装置におけるベースユニット及び中間部ユニットの構造説明図である。
【図４】（ａ）〜（ｄ）は紙幣集積機構の動作説明図である。
【図５】紙幣集積機構に対する駆動機構のリフター上昇時の状態を示す説明図である。
【図６】紙幣集積機構に対する駆動機構のリフター下降時の状態を示す説明図である。
【図７】別の実施形態による紙幣処理装置の概略縦断側面図である。
【図８】別の実施形態による紙幣処理装置の概略縦断正面図である。
【図９】押えプレート引き上げ機構を示す平面図である。
【図１０】押えプレート引き上げ機構を示す側面図である。
【符号の説明】
１  ケーシング
３１，４１  紙幣収納部
３５，４５  紙幣集積機構
３１２，４１２  紙幣支持テーブル
３５０，４５０  紙幣分離部材
３５２，４５２  昇降用可動部材
３５３，４５３  押えプレート
３６  駆動機構
３６０  リフターモータ
３６３  リフター
【図１】
0004519370.tif 000002
【図２】
0004519370.tif 000003
【図３】
0004519370.tif 000004
【図４】
0004519370.tif 000005
【図５】
0004519370.tif 000006
【図６】
0004519370.tif 000007
【図７】
0004519370.tif 000008
【図８】
0004519370.tif 000009
【図９】
0004519370.tif 000010
【図１０】
0004519370.tif 000011